(57)【要約】  文書管理物品（例えば、ファイルフォルダ（１０））は、平行で、幅の狭い、弾性的に変形可能な多数のリブ（３０）を含むトラック部材を有する。再配置可能なインデックスタブはそこに取り付けることができる。
2008535693.tif 000002
【特許請求の範囲】
【請求項１】
サイドパネルとトラック部材とを備えた文書管理物品であって、前記トラック部材は、ベースシートから突き出た平行で間隔の狭い弾性変形可能な複数のリブを有し、それらリブは、前記ベースシートから実質的に直立して該ベースシートに取り付けられる脚部と、前記ベースシートから間隔を空けて該脚部の各側に取り付けられる少なくとも１つのフランジを有し、前記複数のリブによって形成される断面形状が、それらリブの全長に亘って実質的に均一である、文書管理物品。
【請求項２】
前記物品は、ファイルフォルダ、ノートカバー、レポートカバー、バインダー、ファイル仕切り及びノート仕切りから成る群から選択される、請求項１に記載の物品。
【請求項３】
前記物品は、外縁及び内縁を有する第一サイドパネルと、外縁及び内縁を有する第二サイドパネルと、該第一サイドパネルの該内縁と該第二サイドパネルの該内縁との間に配置されて該第一サイドパネルと該第二サイドパネルとを連結する結合縁と、該第一サイドパネルの該外縁に対し平行に配置されるトラック部材であって、該外縁に対し実質的平行に配置される２つ以上のリブを有するトラック部材とを備えたファイルフォルダである、請求項１に記載の物品。
【請求項４】
前記トラック部材は、前記上縁の大部分に沿って延びる、請求項４に記載のファイルフォルダ。
【請求項５】
前記トラック部材は、ベースシートから突き出た平行で間隔の狭い弾性変形可能な複数のリブを有し、それらリブは、前記ベースシートから実質的に直立して該ベースシートに取り付けられる脚部と、前記ベースシートから間隔を空けて該脚部の各側に取り付けられる少なくとも１つのフランジを有し、前記複数のリブによって形成される断面形状が、それらリブの全長に渡って実質的に均一である、請求項１に記載の物品。
【請求項６】
前記複数のリブの少なくとも幾つかが、それらの長さ方向に分断されている、請求項５に記載の物品。
【請求項７】
前記複数のリブの実質的全てが、それらリブの長手軸線を横断する方向に分断されて、前記トラック部材と該トラック部材に係合するタブ部材との間の相対的な摺動動作を制限する、請求項６に記載の物品。
【請求項８】
前記トラック部材に再配置可能に係合するタブ部材をさらに備え、該タブ部材は前記トラック部材に沿って移動できる、請求項１に記載の物品。
【請求項９】
前記タブ部材は、前記トラック部材の前記複数のリブに対し実質的平行に配置される２つ以上のリブを有し、前記タブ部材の該リブは、前記トラック部材の前記複数のリブに機械的に係合し、前記タブ部材は前記トラック部材に沿って再配置可能である、請求項８に記載のファイルフォルダ。
【請求項１０】
ファイルフォルダ上に再配置可能なインデックスタブを提供するためのキットであって、ベースシートから突き出た平行で間隔の狭い弾性変形可能な複数のリブを有する少なくとも１つのトラック部材と、該トラック部材の該複数のリブに再配置可能に係合できる少なくとも１つのタブ部材とを備え、それらリブは、前記ベースシートから実質的に直立して該ベースシートに取り付けられる脚部と、前記ベースシートから間隔を空けて該脚部の各側に取り付けられる少なくとも１つのフランジを有し、前記複数のリブによって形成される断面形状が、それらリブの全長に渡って実質的に均一である、キット。
【発明の詳細な説明】
【技術分野】
【０００１】
本発明は、再配置可能なインデックスタブを備えた文書管理物品、例えばファイルフォルダ、ファイル及びノート仕切り、レポートカバー、ノート、バインダー、媒体バインダー等に関する。
【背景技術】
【０００２】
コンピュータ産業の発展にも関わらず、ハードコピー記録、文書、フロッピー（登録商標）ディスク及び他の媒体の系統立てた保管が依然として必要である。領収書、ファックス、図面、文書、新聞切り抜き等の多くの品目は、ハードコピー形態でのみ得られる。しばしば、これらのハードコピーは整理されるか又は系統立てられた形式で保管されるのが望ましい。例えば、ファイリングキャビネット及び机の引き出しには、個別のファイルを簡単に検索できるようなアルファベット又は数字形式でしばしば符号化されているインデックスタブを有するハンギングファイルフォルダが備えられる。しかしながら、インデックスタブが近接した他のファイルのタブによって隠れ、ファイルの発見及び整理が面倒な課題になるという問題が残されている。
【０００３】
解決法の１つは、再配置可能なインデックスタブを使用することである。１つの実施形態において、インデックスタブはフォルダ上で１つの位置から取り除かれ、より望ましい他の位置に取り付けられ、フォルダの縁における溝によって固定されることが可能である。残念なことに、かかるフォルダにおいてインデックスタブを再配置することは、例えば、追加するファイルを以前のファイルの間に挿入する際などには不便である。後者の実施形態において、インデックスタブは、しばしばレール又はスライド縁と表され、フォルダ幅にわたるトラックに沿ってどこにでも差し込まれ、及び取り付けることができる。ファイルを扱う際に、スライドするタブが固定された位置に留まらずに、他の位置に容易に押されてしまうという問題が依然として残っている。かかるスライド式インデックスタブの実例は、日本特許第１０２１７６６４号、欧州特許第１２２３８０号、及び米国特許第２００３／０１２６７７９号に記載されている。
【発明の開示】
【発明が解決しようとする課題】
【０００４】
当該技術分野において、前述の従来の装置の欠点を避けるスライド式インデックスタブ装置が必要とされている。
【課題を解決するための手段】
【０００５】
本発明は、インデックスタブが所望の通りに随所に容易に移動可能なトラック部材を提供することで、スライドするインデックスタブの位置がずれてしまう問題に取り組む。もう一つの態様として、本発明はまた、ファイルが押されたり扱われたりする際にインデックスタブを、所望の位置から誤って滑り出ないように固定する。この特徴はまた、所望の通りにタブを容易に取り外し、及び再挿入するのを可能にする。本発明は、ファイルフォルダ、ファイル及びノート仕切り等の様々な文書管理物品とともに使用され得る。
【０００６】
簡単に要約すると、本発明で例示するファイルフォルダは、外縁及び内縁を有する第一サイドパネルと、外縁及び内縁を有する第二サイドパネルと、第一サイドパネルの内縁と第二サイドパネルの内縁との間に配置されて第一サイドパネルと第二サイドパネルとを連結する結合縁と、第一サイドパネルの外縁に対し平行に配置され、外縁に対し実質的平行に配置される２つ以上の間隔の狭い弾性変形可能なリブを有するトラック部材を備える。タブ部材は、トラック部材に再配置可能に係合することができる。
【０００７】
本発明はまた、本発明における文書管理物品を作成するためのキットを提供する。
【発明を実施するための最良の形態】
【０００８】
本発明を、縮尺率を問わずに理想化した図面を参照して説明する。
【０００９】
便宜上、ファイルフォルダに関連して、本発明を詳細に説明する。しかしながら、本発明は、ノートカバー、レポートカバー、バインダー、媒体バインダー、ファイル、ノート、レポートバインダーに使用される仕切り等のような他の文書管理物品に同様に使用され得ることが理解できよう。
【００１０】
図１及び図２に示すように、本発明のファイルフォルダ１０は、外縁１４及び内縁１６を有する第一サイドパネル１２と、外縁２０及び内縁２２を有する第二サイドパネル１８と、第一サイドパネルの内縁と第二サイドパネルの内縁との間に配置されて第一サイドパネルと第二サイドパネルとを連結する結合縁２４と、第一サイドパネル１２の外縁１４に対し平行に配置されるトラック部材２６であって、外縁１４に対し実質的平行に配置される２つ以上のリブ３０を有するトラック部材２６とを備える。第一サイドパネル１２は、両側縁１１ａ及び１１ｂを有する。タブ部材３２は、本発明によるトラック部材２６に再配置可能に係合させることができ、このタブ部材は、トラック部材に再配置可能に係合する部分と、所望のしるしを表示できる部分とを有する。トラック部材２６は、（図示のように）好ましくは外縁１４に直接に隣接するが、所望であれば外縁１４に単に近いだけでも良い。
【００１１】
「再配置可能に係合する」とは、タブ部材をトラック部材上の他の位置に移動するか又はタブ部材をトラック部材から離脱して完全に取り外すような、かなりの再配置力が加わるまでは、タブ部材がトラック部材上の安定した、おそらくは望まれた位置に、置かれ続けることを意味する。
【００１２】
トラック部材２６は、好ましくは側縁１１ａ及び１１ｂまで実質的に伸長するが、所望であればより短くても良い（又は本発明のかかる実施形態の扱い、使用、及び保管の利便性を削減する傾向があるが、サイドパネル１２の幅より長くても良い）。トラック部材２６は、サイドパネル１２の内側に示されるが、所望であればサイドパネルの外側の上であっても良い。
【００１３】
本発明のファイルフォルダは、例えば、プラスチック、紙、ボール紙、厚紙、又は金属のような任意の既知の好適な物質であってよい。それらは、例えば、レターサイズ、リーガルサイズ、Ａ４等の標準的な寸法、又は使用するファイルキャビネット及び他のファイル保管装置の大部分に依存した特定の寸法で、任意で所望の寸法に作成されて良い。
【００１４】
結合縁２４は、ファイルフォルダの当該技術分野において既知なように、単一の折り返しで構成されるか、又はファイルの容量が大きい場合には複数の折り返しから構成され得る。図１及び図２には、２つの折り返し結合縁を備えるファイルフォルダが示されている。ある実施形態においては、結合縁２４は第一サイドパネル１２及び第二サイドパネル１８よりも強化された部位であって、異なる物質から作成され得る。所望であれば、第一サイドパネル１２及び第二サイドパネル１８はそれぞれ異なる物質から作成され得る。
【００１５】
１つの例示的な実施形態において、トラック部材は、ベースシートから突き出た、平行で、間隔の狭い、弾性変形可能な多数のリブを有する。リブは、ベースシートから実質的に直立してベースシートに取り付けられる脚部と、ベースシートから間隔を空けて脚部の各側に取り付けられる少なくとも１つのフランジとを有する。リブによって形成される断面形状は、リブの全長に渡って実質的に均一である。同様の構造が、自己係合式の再閉可能なファスナーとして、米国特許第６，３６７，１２８号（ガルキーウィックズ（Galkiewicz）ら）に記載され、この記載は全て本明細書に組み込まれる。
【００１６】
図３で説明するように、本発明の例示的なトラック部材２６は、ベースシート３２に取り付けられてベースシート３２から直立して突き出している多数のリブ３０を含む。このリブ３０は、互いに実質的に平行であって、実質的に等しく横方向距離３４が空けられている。各リブは脚部３６及びフランジ３８を含む。
【００１７】
ある実施形態において、トラック部材は、トラック部材を所望の通りにファイルフォルダに固定する接着剤４０の層を備える。好適な接着剤は、トラック部材の性質、ファイルフォルダの性質、トラック部材のファイルフォルダへの望ましい接着方法、及び永久的であるか一時的な載置が望ましいかどうかに依存して容易に選択することができる。好適な接着剤の例示的な実施形態としては、感圧性接着剤、ホットメルト接着剤、再配置可能接着剤等が挙げられる。トラック部材は、所望であれば、例えば、ベースシート３２へのソーイング又はステイプリングなどの機械的手段である他の手段（図示せず）によって、サイドパネルに取り付けられる。
【００１８】
１つの例示的な実施形態において、リブ３０はその長さ方向へ実質的に連続している。しかしながら、他の実施形態において、リブは、押出成形後に切断して所望によりベースシートを引き伸ばすことで分断され、この分断されたリブの隣接端の間に空間が形成される。加えて、例えばホットホイールなどで押出ウェブ上に圧力をかけることによって生じる分断は、分断部分のベースシートを厚く（ホットホイールの圧力下で流れるリブ物質によって厚肉化される）することができる。これらの厚肉化領域は、以下でさらに議論するように、トラック部材及びこれに噛み合うタブ部材間での相対的な摺動動作に障害物を提供するのに有用であり得る。かかる分断は、熱せられたホイール上の突出部と押出ウェブのリブ表面の接触によって都合良く形成され、これによって、リブ構造における縦方向の空隙部は、隆起構造又は障壁として、定期的に押し下げられ積み重なる。障壁は、ベースシートより大きな高さ又は厚みを有する。障壁の高さはトラック部材がタブ部材と結合する際に十分であり、他のタブ部材のうち少なくとも最も高いリブが障壁と係合し、トラック部材に沿った相対的なタブ部材の摺動動作を阻止する。障壁は、一方向における運動を制限するのにトラック部材の一面又は端部でのみ提供されるか、又は、障壁はサイドパネル１２の側縁１１ａおよび１１ｂに最も近いトラック部材の両端に提供され得る。ベースシート上に隆起した構造をとる障壁の代わりに、使用され得るベースシートに向かって、接触はしないように外側部を加圧することによるリブの拡張などのリブ変形、又は上記で議論されるようなホットナイフを用いた熱可塑性リブの切断を使用することができる。
【００１９】
リブにおける開口部又は分断部は、所望の通りに、ファイルフォルダからタブ部材より容易に離すことができる位置を提供することができる。開口部はまた、開口部を広げるためにファイルフォルダ及びトラック部材を曲げることでファイルフォルダと容易に結合することを可能とし、それによって、タブ部材が横にスライドするのを可能とする。そのような実施形態は図３及び図４に例示され、ここではトラック部材２６は、開口部４６及び４６’を有するリブ３０、及び厚肉化領域４９を有するベースシート３２を備える。あるいは、このリブは開口部４６’を作るためにホットナイフ又は同様の手段で切断され得る。図４に示すように、リブ３０の端部の形態又は形状は、リブが熱可塑性材料で作られている際、開口部４６’を形成することで分断させることができる。リブ形状へのかかる分断は、ファイルフォルダ上のタブ部材の望ましい配置を補助するために停止又は「クリック操作」箇所を提供することができる。
【００２０】
分断部によって、例えば停止又はクリックを用いるインデックス付きの様式においてトラック部材に沿ってタブ部材が移動するのが可能となり、登録された様式にタブ部材を位置付けることを助ける。これは、ファイル及び所望の通りに位置付けられたタブ部材一式の組織化を助ける。この分断部は、典型的にはリブの長手軸線に対して実質的に垂直又は横に向いている。好ましくは、分断部はタブ部材の望ましい位置づけを助けるために、均一な距離で間隔が空けられている。例えば、ある実施形態において、分断部はタブ部材の幅と等しいか又はそれより少し広い距離で間隔が空けられている。このようにして、本発明に従って、本配置の複数のファイルフォルダがともに載置され、インデックスタブがその中に係合される際、連続するフォルダ上のタブは容易にオフセット様式に配置することができ、他のタブ部材による妨害を削減する。
【００２１】
分断部は任意の所望の幅を有し得る。ある実施形態において、約０．７９ｍｍ（１／３２インチ）〜３．１８ｍｍ（１／８インチ） の平均幅を有する分断部が有用であり、本発明に従って、より幅広い又はより狭い幅でも使用し得る。分断部が非常に狭い場合、トラック部材からタブ部材を離すのは比較的難しくなる。分断部が非常に広い場合、トラック部材に再配置可能に係合しているタブ部材をトラック部材の異なる位置に単に再配置することが望ましい際、タブ部材がトラック部材から分離されやすくなり得る。
【００２２】
ある実施形態では、リブの高さは実質的に均一であるが、別の実施形態では、リブは図３及び図４に示すようにリブの高低が交互になっている。本発明に従って、他の実施形態を使用し得ることは、当業者には明らかであろう。
【００２３】
図５ａ〜図５ｄは、本発明の例示的なトラック部材５３を概略で示しており、同様のリブ構造を有するフック５２に相互係合するところを示している。トラック部材５３は、異なる高さのリブを含み、高いリブ５４は低いリブ５５と１つずつ交互になっている。同一（例えば高さが等しい）の対称的なリブの全集団の外形に対する繰り返される偏差は、トラック部材及びフックの相互係合抵抗力の低下を促進する。図５ａに示すように、高いリブ５４同士がまず、トラック部材とフックとの相互係合の間に互いに接触し、矢印５６に示すように、高いリブの頭部は、隣接するリブ５５の高さが不足しているので間隙に移動しやすくなる。このリブ及び付属部材の自己整列は、フックを本発明のファイルフォルダに取り付ける際に容易かつ効果的に確実に相互係合することを助ける。これら部材にさらに圧力がかかると図５ｂ及び図５ｃに示すように、高いリブは隣接する低いリブ（図５ｂの矢印５７を参照）と接触することによって、フックの高いリブ５４の右フランジ５９がトラック部材の高いリブ５４の左フランジ６０の下にスライドするような配置（このパラグラフにおける「右」と「左」は、図５における配置をいう）に方向付けられる。さらに圧力がかかると、図５ｄに示すように、フックの高いリブ５４の左フランジ６１は、トラック部材の低いリブ５５の右フランジ６２の下に移動する。相互係合中、高いリブ５４の頭部において、隣接する高いリブは等しい高さ構造を有していないので、記載された移動は妨げられない。この相互係合における抵抗力を最も少なくするには、高いリブ及び低いリブを１つずつ交互にし、抵抗力を少し高くするには、使用される低いリブの数を少なくし、いくつかの高いリブを互いに隣接させる。
【００２４】
図５ａ〜図５ｄに示されるトラック部材及びタブ部材のさらなる望ましい性能特性は、相互係合を達成するのに必要な力を連続的又は２段階特性にすることである。つまり、第一の力の実行は、図５ｂ及び図５ｃに示される相互係合の第一段階を達成するのに必要であって、第二の、連続する力の実行が図５ｄに示される完全な相互係合を達成するために必要である。この連続的又は２段階の力の実行によって、一時的に必要とされる最大の力は削減され、相互係合が容易になる。また、このタイプにおけるトラック部材及びフック又は任意のタブ部材一式は、２つの異なる相互係合度合いを有することができ、低い抵抗力においては一時的な相互係合が可能となり、高い抵抗力においてはおそらく永続する相互係合が可能となる。
【００２５】
高いリブ５４と低いリブ５５との間の高さの違いは変えることができる。典型的には、この高さの違いは、著しい数の高いリブ及び低いリブの完全な相互係合を防ぐために、あまりに大きくあるべきではない。用語「完全な相互係合」は、一般的に、トラック部材又はタブ部材の一対の一方における高いリブのフランジが、この一対のもう一方の部材の低いリブの下へ図示のように移動することを含むことを意味する。リブ部分の材料及び厚み、及びリブの形状等のパラメーターの数によって、望ましいリブの高さの割合は影響を受ける。例えば、高いリブは低いリブに対して約１／４〜３／４倍高くてよい。本発明のある実施形態において、高いリブは、低いリブより約１．５倍の高さである。
【００２６】
図６におけるリブは、代表的な共押出リブであって、この場合には２つの異なる物質を包含し、第一の物質はリブの主要な部分を構成し、第二の物質がリブの上部を構成する。２つ以上の材料での押出しが可能であり、リブ又はベースシートの異なる部分を構成しても良い。例えば、ベースシートは可撓性又は柔軟性などの１つの材料を含み、リブは例えば、より硬い材料等の異なる材料を含んで良い。または、リブの脚部は、屈曲の繰り返しに必要とされる、例えば可撓性、弾性、又は耐疲労性特性を有する１つの物質を含み、頭部つまりフランジを包含するリブの上部は、例えばより硬く、非屈曲性物質などの異なる物質を含んで良い。
【００２７】
ある実施形態において、脚部の高さはこの脚部に取り付けられるフランジの幅よりも大きいことが好ましい。こうすることで（脚部及びフランジは同じ厚みと組成であると仮定する）、脚部は、対向するタブ部材のリブに相互係合する間、リブに圧力がかかっている状態で、フランジよりも屈曲する傾向となる。曲げ剛性は、一般的に、厚さ方向に屈曲が生じる場合、長さＬ、幅Ｗ、厚さＴの長材でＷ（Ｔ／Ｌ）3に比例する。フランジ部及び脚部が同じ厚み及び組成を有する場合、脚部は典型的に腕部よりも長いので、屈曲は脚部に容易に起こる。脚部及びフランジ部における屈曲のしやすさは、脚部及びフランジ部の物質における構造、寸法及び弾性係数の選択によって調節できる。
【００２８】
本発明のトラック部材及びタブ部材は、様々な物質から成り得るが、最も一般的なのは溶融加工できる一般的な任意のポリマーを使用する高分子材料から形成される。ホモポリマー、コポリマー及びポリマー類の組み合わせが有用であり、様々な添加物を含有し得る。金属類のような無機材料も使用し得る。望ましい屈曲特性を提供するために組成が選択されるが、この屈曲特性には、通常、リブの長さの横方向におけるリブの脚部の弾性屈曲運動、及びほとんど生じないが相互係合時及び解放時のフランジの屈曲が含まれる。一般的に、任意の添加物を包含するベースシート及びリブの組成において、１０3ＭＰａ〜１０7ＭＰａの弾性率は十分であるが、これは用途によって変更できる。
【００２９】
好適な熱可塑性ポリマー類としては、例えば、ポリプロピレン又はポリエチレンなどのポリオレフィン類、ポリスチレン、ポリカーボネート、ポリメチルメタクリレート、エチレンビニルアセテートコポリマー類、アクリレートで修飾されたエチレンビニルアセテートポリマー類、エチレンアクリル酸コポリマー類、ナイロン、ポリビニルクロライド、及びポリケトン類又はポリメチルペンタン類のようなエンジニアリングポリマー類が挙げられる。エラストマーとしては、例えば、天然又は合成ゴム、イソプレン、ブタジエン、エチレン（ブチレン）ブロックを含有するスチレンブロックコポリマー類、メタロセン触媒ポリオレフィン類、ポリウレタン類、及びポリジオルガノシロキサンが挙げられる。ポリマー類及び／又はエラストマーの混合物も使用することができる。
【００３０】
好適な添加物としては、例えば、可塑剤、粘着付与剤、充填剤、着色剤、紫外線安定剤、酸化防止剤、加工助剤（ウレタン類、シリコーン類、フッ素重合体等）、低摩擦係数物質（シリコーン類)、トラック部材及びタブ部材にそれぞれの導電性レベルを与える導電性充填剤、顔料、及び所望通りのこれらの組み合わせが挙げられる。一般的に、添加物は、用途によって組成物の５０重量パーセントまでの量で存在して良い。
【００３１】
本発明のトラック部材及びタブ部材は、例えば、放電加工による開口切断部を有するダイに沿ってポリマー性ウェブを押し出して形成することができる。
【００３２】
ダイの形状は、望ましい断面形態又は形状を有するウェブを作成するように設計されている。一般的に、ウェブはダイから離した後に、水のような急冷物質に通して急冷される。急冷媒体においては、リブ間の間隙を含めて押出ウェブの全表面を確実に完全に濡らすのに湿潤剤を必要としても良い。押出ウェブは、例えば、リブに分断部を形成するために押出リブを切断し、ウェブを伸長するか、又はトラック部材及びタブ部材の組み合わせ間の相対的な移動を制限する構造を形成することでさらに加工され得る。トラック部材及びタブ部材は次に、一般的に押出ウェブを切断及びスリットをつけることで形成される。
【００３３】
ある実施形態において、トラック部材は押出成形によって形成される。トラック部材はまた、他の方法、例えば射出成形又は鋳造によって形成されても良い。また、本発明のリブ付きトラック部材構造は、ファイルフォルダ又は他の文書管理物品を作成する、より大きなシートに組み込まれて良い。トラック部材又はタブ部材構造は、例えば、既に作成されているリブ部分を型に挿入し、リブ付き部分の周りの物品の残りを成形するか、又は本発明のリブ構造形態を形成する形状の型構造で型表面を成形する等のさまざまな方法でより大きな物品に組み込まれて良い。本発明のリブ構造がより大きな物品に組み込まれる際、本明細書における用語「ベースシート」には、リブ構造が組み込まれる物品の構造が包含される。
【００３４】
前述のように、本発明のリブ構造の本体は、複数の層を包含してもよく、一般的にこれらは異なる組成である。かかる複数の層は、共押出技術によって提供することができ（例えば、公開されたＰＣＴ出願第ＷＯ９９／１７６３０号（１９９９年４月１５日公開）に記載されているように）、異なる溶融流れの異なる押出成形機から複数のマニホールドダイ又は複数層のフィードブロック及びフィルムダイへの通過を包含する。個々の流れはフィードブロック内で融合し、材料がダイから離れるように層状シートに出て行く層状スタックとしてダイに入る。このダイは、トラック部材及びタブ部材のリブ構造を形成するのにパターン化される。従って、本発明のトラック部材は、ある組成のベースシート及びそれと異なる組成のリブを有して良い。また、リブの一部分、例えば、リブの上端部は、リブの他の部分からの異なる組成を有して良い。例えば、リブの上部はリブの残部よりも低い抵抗力表面を形成する組成を包含し得る。
【００３５】
ある実施形態において、タブ部材は、トラック部材（例えば、上述のような多数のリブなど）と再配置可能に係合する部分、及び所望のしるしを表示可能な第二の部分を有する。ある実施形態において、第二部分は、ペン、鉛筆又はマーカーの少なくとも１つによる筆記を受け入れる平坦部分であり得る。ある実施形態において、タブ部材は所望のしるしを、例えば、裏面粘着式フラグ又はステッカー、表示器上のクリップのようなしるし支持部材を受け入れるように作成された部分に取り付けるのに適用される。当業者には理解されるであろうように、本発明は広い範囲でしるしの使用を可能にするために適用され得る。
【００３６】
ある実施形態において、トラック部材はトラック部材へ付属部材を固定するための部位として使用して良い。例えば、筆記用具、コンピュータディスクなどを固定するのに適用される他の部分を有するタブ部材に関して、上述のような多数のリブを含む付属部材は、本発明に従って使用されて良い。
【００３７】
本発明のトラック部材及びタブ部材がリブを有するという特性により、物品に所望の配置機能が提供される。
【図面の簡単な説明】
【００３８】
【図１】本発明の例示的なファイルフォルダを完全に開いた内部の平面図である。
【図２】図１のフォルダの側面図であって、閉じた状態を示す図である。
【図３】本発明の例示的なトラック部材の切欠斜視図である。
【図４】図３のトラック部材の断面図である。
【図５ａ】本発明の異なる例示的なトラック部材の一部分が、本発明の例示的なタブ部材に相互係合する状態を概略で示す図である。
【図５ｂ】本発明の異なる例示的なトラック部材の一部分が、本発明の例示的なタブ部材に相互係合する状態を概略で示す図である。
【図５ｃ】本発明の異なる例示的なトラック部材の一部分が、本発明の例示的なタブ部材に相互係合する状態を概略で示す図である。
【図５ｄ】本発明の異なる例示的なトラック部材の一部分が、本発明の例示的なタブ部材に相互係合する状態を概略で示す図である。
【図６】本発明のトラック部材及びタブ部材に有用なリブの例示的な実施形態の側面図である。
【図１】
2008535693.tif 000003
【図２】
2008535693.tif 000004
【図３】
2008535693.tif 000005
【図４】
2008535693.tif 000006
【図５ａ】
2008535693.tif 000007
【図５ｂ】
2008535693.tif 000008
【図５ｃ】
2008535693.tif 000009
【図５ｄ】
2008535693.tif 000010
【図６】
2008535693.tif 000011
【国際調査報告】
2008535693.tif 000012
2008535693.tif 000013